(57)【要約】      （修正有）【課題】木板等を用いて食料品容器を組立成形するとき、極めて容易迅速に組立てることができ、且つ、解体も簡易に実行できるようにする。【解決手段】前後両側板３，４と、前後両側板３，４間に形成される底面板５を有し、且つ、前後両側板３，４には左右両端部近傍に略中間位置まで上向きの切込み６，６を夫々対峙して設け、一方、方形状の薄板と同材から成る左右両側板７，８を設け、左右両側板７，８にはその前後端部近傍であって、且つ、略中間部まで下向きの切込み９，９を設け、前後両側板３，４の上向きの切込み６，６に、左右両側板７，８に設けた下向きの切込み９，９を嵌合させたとき、左右両側板７，８の上面は前記起立した前後両側板３，４の高さと一致し、且つ、左右両側板７，８の下辺は前記底面板５に当接して略せいろ型に形成できるように構成された食料品容器を提供するものである。【選択図】  図２
2005022677.tif 000002
【特許請求の範囲】
【請求項１】
方形状薄板の両側部に各端縁から所定距離を有して平行に折線を対峙して設け、該折線を介して起立されて形成される前後両側板と、該前後両側板間に形成される底面板を有し、且つ、該前後両側板には左右両端部近傍に略中間位置まで上向きの切込みを夫々対峙して設け、一方、方形状の薄板から成る左右両側板を設け、該左右両側板にはその前後端部近傍であって、且つ、略中間部まで下向きの切込みを設け、前記折線を介して前後両側板を起立させ、且つ、該前後両側板の前記上向きの切込みに、前記左右両側板に設けた下向きの切込みを嵌合させたとき、該左右両側板の上面は前記起立した前後両側板の高さと一致し、且つ、該左右両側板の下辺は前記底面板に当接するように形成されたことを特徴とする容器。
【発明の詳細な説明】
【０００１】
【発明の属する技術分野】
この発明は、容器に関するものであり、特に、平板状に解体でき、且つ、せいろ型或いは舟型等に組立てることができるようにした食料品容器に関するものである。
【０００２】
【従来の技術】
従来の此種食料品容器は、特許文献１に開示されているものが知られている。而して、同特許文献１に開示された食料品容器は、例えば、皮むき加工された木板の左右に端部から略等間隔を有して二本の切溝を設け、そして、この切溝によって形成された中央部を上方へ起立させ乍ら該切溝の両側片を該起立させた中央部背面に当接させ、接着剤又はステープルを用いて相互に結合して組立てて成るものである。
【０００３】
【特許文献１】
特表平１１−５０８８６１号公報（図１、図２、図５、図８）
【０００４】
【発明が解決しようとする課題】
上記従来例は皮むきした木板を方形に形成すると共に、その左右に二本の切溝を設け、この切溝を介してこの切溝の夫々の両側片を該切溝間の中央部の背面に当接し乍ら相互に接着剤又はステープルによって結合して組立てるのであるから、組立時における手間がかかり、又、解体も面倒となる。
【０００５】
そこで、皮むきした木板等を用いて食料品容器を組立てて成形するとき、極めて容易迅速に組立てることができ、且つ、解体も簡易に実行できるようにするために解決せられるべき技術的課題が生じてくるのであり、本発明は該課題を解決することを目的とする。
【０００６】
【課題を解決するための手段】
本発明は上記目的を達成するために提案せられたものであり、方形状薄板の両側部に各端縁から所定距離を有して平行に折線を対峙して設け、該折線を介して起立されて形成される前後両側板と、該前後両側板間に形成される底面板を有し、且つ、該前後両側板には左右両端部近傍に略中間位置まで上向きの切込みを夫々対峙して設け、一方、方形状の薄板から成る左右両側板を設け、該左右両側板にはその前後端部近傍であって、且つ、略中間部まで下向きの切込みを設け、前記折線を介して前後両側板を起立させ、且つ、該前後両側板の前記上向きの切込みに、前記左右両側板に設けた下向きの切込みを嵌合させたとき、該左右両側板の上面は前記起立した前後両側板の高さと一致し、且つ、該左右両側板の下辺は前記底面板に当接するように形成されたことを特徴とする容器を提供するものである。
【０００７】
【発明の実施の形態】
以下、本発明の一実施の形態を図１乃至図８に従って詳述する。図１は本発明の食料品容器に用いられる部材を分解した状態を示す平面図、図２は図１の各部材の組立て前の斜視図、図３は各部材を組立てたときの斜視図、図４は各部材を組立てたときの平面図、図５は図４の正面図、図６は図４の側面図、図７は本発明の他の実施の形態を示し、各部材の組立て前の斜視図、図８は図７の各部材を組立てたときの斜視図である。
【０００８】
図に於いて、前記部材は例えば、皮むきされた薄板の木板によって成形される。但し、之に限定せられるべきではなく、発泡ポリスチレン板或いは厚紙等も使用することができる。又、前記木板は白樺、シナの木等の単板を用いるを可とする。然るときは、この素材によって組立てた容器はオーブンに入れて使用でき、ベーキングトレーとして用いることが可能となり、且つ、焼印を施すこともでき、その他各種の食料品の容器として用いることができる。
【０００９】
又、該木板或いは前記厚紙には予め、両面又は片面に特殊フィルムを貼着したものを用いることができる。然るときは、例えば木材を部材として本発明の食料品容器を組立てたとき、電子レンジに使用することが可能となる。このとき、食料品容器内に収納された食料品が該食料品容器に付着しにくいので、加温した食料品を該食料品容器から容易に取り出すことが可能となる。
【００１０】
而して、図に示す部材は、白樺又はシナの木にて成形されたものが採択されている。図１に於いて、１は前記部材によって成形された本体部を示す。該本体部１は前記部材によって長方形状に形成され、且つ、同図に於いて、上下に各所定距離Ｌを有して該本体部１の上下端縁１ａ，１ａと平行に夫々折線２，２が設けられている。該折線２，２を介して該折線２，２の夫々の外方に、前側板３と後側板４が形成されその間に底面板５が形成される。又、之等前後側板３，４は夫々該折線２，２を介して垂直に起立させられ、或いは図示の如く、平板状に展開されることができるのであるが、該前側板３及び後側板４には夫々左右端部近傍であって、夫々左右端縁から一定距離ｍを有して上下端縁１ａ，１ａから略中間位置に到るまで切込み６，６が夫々対峙して設けられている。
【００１１】
一方、左側板７と右側板８が前記部材によって同一形状に成形されている。而して、該左側板７及び右側板８は図２に示すように、前記本体部１の折線２，２と同一線上に下面から上方へ向って略中間部まで切込み９，９及び９，９が左右対峙して設けられている。而も、前記前後側板３，４を垂直に起立させ、そして、前記左右側板７，８に設けた切込み９，９及び９，９が前記前後側板３，４に設けた前記切込み６，６及び６，６に夫々嵌合して該左右側板７，８を該前後側板３，４に組付け、図３に示す如く、容器Ａを形成したとき、該左右側板７，８の夫々の上面は前記前後側板３，４の上面と一致し、更に、該左右側板７，８の下面は底面板５の上面に当接するように形成される。即ち、前記切込み６及び９を夫々略中間部まで設けることにより、左右側板７，８と前後側板３，４の夫々の高さが一致し、そして、左右側板７，８の下面が底面板５の上面に当接することができる。
【００１２】
斯くの如く、本発明の食料品容器Ａは前後側板３，４及び左右側板７，８が夫々底面板５に対して垂直に組立てられるので組立強度は大であり、組立てた本発明の食料品容器Ａは不慮妄壊するようなことはなく、安定的に食料品容器として使用することができる。
【００１３】
而して、本発明の食料品容器Ａは前述したように、単に前後側板３，４を折線２，２を介して垂直に起立させ、そして、その上面から前記左右側板７，８の夫々の切込み９，９及び９，９を該前後側板３，４の切込み６，６及び６，６に各対応させて係合させるだけの操作で組立てることができるので、組立操作が極めて容易であり、且つ、確実に実行されることができる。勿論、分解する場合も、単に左右側板７，８の夫々の切込み９，９及び９，９を前後側板３，４の夫々の切込み６，６及び６，６から引き抜くだけの操作で簡単に分解することができ、且つ、夫々の素材は平板状に展開することができるので、運搬、保管等に極めて便宜を付与し、且つ、保管時の省スペースにも寄与することができる。
【００１４】
又、図７及び図８は本発明の他の実施の形態を示すのであるが、この実施の形態は図１乃至図６に示す実施の形態と本質的には同一であり、依って、共通する構成部分は同一符号を付してその説明を省略するものとする。而して、前記図１乃至図６に示す実施の形態と異なる点は、左右側板７，８に設けた下向きの切込み９，９及び９，９の形状である。即ち、前記図１乃至図６に示す切込み９，９及び９，９は本体部１の折線２，２と同一線上に下面から上方へ向って略中間部まで直線状に設けられているが、この実施の形態に於いては、該切込み９，９及び９，９は本体部１の折線２，２と同一線上に下面から上方へ向って略中間部まで略直角三角形状であって、且つ、直角線状の縦線Ｘ，Ｘ及びＸ，Ｘは左右側板７，８の夫々前後端部に設けられ、そして、斜線Ｙ，Ｙ及びＹ，Ｙは内側寄りに設けられている。
【００１５】
斯くして、先ず、前後側板３，４を垂直に起立させ、そして、該左右側板７，８に設けた前記切込み９，９及び９，９を前記前後側板３，４に設けた前記切込み６，６及び６，６に夫々嵌合させ、更に、前記前後側板３，４を夫々外側方向ヘ倒せば、該前後側板３，４は夫々左右側板７，８の夫々の切込み９，９及び９，９の前記斜線Ｙ，Ｙ及びＹ，Ｙに沿って倒れ乍ら該斜線Ｙ，Ｙ及びＹ，Ｙの位置で停止し、略笹舟型状を呈した食品容器Ｂを構成するのである。
【００１６】
斯くして、本発明の前記図に示す食料品容器Ａ及びＢはパン、パウンドケーキ、パテ、テリーヌ等のベーキングトレーとして用いることが可能となり、その他、和菓子、洋菓子、豆腐、豆腐製品、中華食品、飲茶、点心、弁当、惣菜、おにぎり、たこ焼、大判焼き等のテイクアウト用容器としても使用することができる。更に、焼印も捺印することができ、ホットスタンプやシルクスクリーン印刷等も施すことが可能となり、せいろ型或いは笹舟型に形成されることと相俟って高級感が付与されることになる。更に又、部材として、前記両面特殊フィルム貼り木材を用いたときにはこの食料品容器に保温せられるべき食料品を収容し、そして、該食料品容器を電子レンジに入れて該食料品を保温することもできる。
【００１７】
尚、本発明は、本発明の精神を逸脱しない限り種々の改変を為すことができ、そして、本発明が該改変されたものに及ぶことは当然である。
【００１８】
【発明の効果】
本発明は上述する一実施の形態にて詳述したように、本発明の容器を食料品容器として例えば、白樺、シナの木等から成る素材によって構成したときには、特に、該食料品容器内にパン、パウンドケーキ、パテ、テリーヌ等のベーキングトレーとして用いることができることは勿論、その他、和菓子、洋菓子、豆腐類、おにぎり、たこ焼等の容器として用いるとき、本発明の食料品容器がせいろ型或いは笹舟型の形状に組立てられるので商品自体の高級感を惹起せしむることも可能となる。更に、部材として両面特殊フィルム貼り木材等を用いたときには、各種食料品を該部材にて組立てた食料品容器に収容し、そして、該食料品容器を電子レンジに入れて所定時間保温することにより、前記食料品が適温に保温されることができるのであるが、このとき、該食料品は部材に付着することがないので、加温された該食料品の分離取出しが極めて容易となる。
【００１９】
更に又、本発明の食料品容器は、接着剤或いはステープル等を用いて結合して組立てるのではなく、単に前後側板に設けた切込みに左右側板に設けた切込みを嵌合させるだけの操作で組立てるのであるから、組立操作が極めて容易且つ迅速に実行できると共に、前後側板及び左右側板の結合も安定し、且つ、組立強度も大であり、不慮妄壊するようなことはない。更に又、分解も単に前記左右側板に設けた切込みを前後側板に設けた夫々の切込みから引き抜くだけの操作によって行われるので、分解作業も極めて容易迅速に実行することができ、而も、分解した部材は夫々平板状に展開されるので運搬に便宜を付与するとともに、保管に際しても省スペースとなり、全体としてコストダウンにも寄与することが可能となる等、正に諸種の著大なる効果を奏する発明である。
【図面の簡単な説明】
【図１】本発明の一実施の形態を示し、食料品容器を分解した状態を示す平面図。
【図２】図１の食料品容器の組立て前の斜視図。
【図３】図１及び図２の食料品容器を組立てた後の斜視図。
【図４】図３の平面図。
【図５】図４の正面図。
【図６】図４の側面図。
【図７】他の実施の形態を示し、食料品容器の組立て前の斜視図。
【図８】図７の食料品容器を組立てた後の斜視図。
【符号の説明】
Ａ，Ｂ      食料品容器
１          本体部
２          折線
３          前側板
４          後側板
５          底面板
６，９      切込み
７          左側板
８          右側板
【図１】
2005022677.tif 000003
【図２】
2005022677.tif 000004
【図３】
2005022677.tif 000005
【図４】
2005022677.tif 000006
【図５】
2005022677.tif 000007
【図６】
2005022677.tif 000008
【図７】
2005022677.tif 000009
【図８】
2005022677.tif 000010